(57)【要約】【課題】フレキシブルケーブルの損傷を防止できる、インクジェットヘッド及びインクジェット記録装置を提供する。【解決手段】一形態にかかるインクジェットヘッドは、開口を有するカバーと、前記開口から前記カバーの外側に向けて延出する、前記カバーよりも剛性の低いフレキシブルケーブルと、フレキシブルケーブルよりも剛性が高く構成され、前記フレキシブルケーブルと前記カバーの前記開口との間に配され、前記カバーの前記開口の外方に向けて突出するとともに、前記開口の外方の端縁の両端部は前記フレキシブルケーブルが前記開口から延出する方向に対して傾斜または湾曲する、保護部材と、前記フレキシブルケーブル及び前記保護部材が配された前記開口に配されるシーリングと、を備える。【選択図】図１
2020015209.tif 000002
【特許請求の範囲】
【請求項１】
開口を有するカバーと、
前記開口から前記カバーの外側に向けて延出する、前記カバーよりも剛性の低いフレキシブルケーブルと、
フレキシブルケーブルよりも剛性が高く構成され、前記フレキシブルケーブルと前記カバーの前記開口との間に配され、前記カバーの前記開口の外方に向けて突出するとともに、前記開口の外方の端縁の両端部は前記フレキシブルケーブルが前記開口から延出する方向に対して傾斜または湾曲する、保護部材と、
前記フレキシブルケーブル及び前記保護部材が配された前記開口に配されるシーリングと、を備えるインクジェットヘッド。
【請求項２】
前記開口は、所定の第１方向に延びるスリットであり、
前記フレキシブルケーブルは、帯状に構成され、前記カバーの内方に配される基板に接続され、前記開口から前記第１方向と交差する第２方向に延出し、
前記保護部材は、前記第１方向における前記両端部の端縁が前記第１方向及び前記第２方向に対して傾斜または湾曲する、板状であり、
前記シーリングは、前記フレキシブルケーブルよりも剛性が高い、請求項１に記載のインクジェットヘッド。
【請求項３】
前記保護部材は前記フレキシブルケーブルの両面に配される、請求項１または請求項２に記載のインクジェットヘッド。
【請求項４】
前記保護部材の幅寸法は前記フレキシブルケーブルの幅寸法よりも大きい、請求項１乃至請求項３のいずれか１項に記載のインクジェットヘッド。
【請求項５】
請求項１乃至請求項４のいずれか１項に記載のインクジェットヘッドを備えるインクジェット記録装置。
【発明の詳細な説明】
【技術分野】
【０００１】
本発明の実施形態は、インクジェットヘッド及びインクジェット記録装置に関する。
【背景技術】
【０００２】
各種のインクジェット記録装置に用いられるインクジェットヘッドにおいて、外部機器と電気的に接続するためのフレキシブルケーブルを備えたインクジェットヘッドが考案されている。フレキシブルケーブルは、薄く柔軟性があり、一端が例えばヘッドの筐体内に納められた電子基板にコネクタを介して接続されている。フレキシブルケーブルの他端側は例えば外部機器に接続されている。インクジェットヘッドは、外部機器から入力された電気信号によりフレキシブルケーブルを介してアクチュエータが動作することにより、インク滴を吐出する。フレキシブルケーブルは薄く柔軟性があるため、ケーブルの引回しスペースを縮小化することができる。そのためヘッドだけでなく外部機器まで含めた装置全体を小型化することができる。このようなインクジェットヘッドでは、インクの侵入により筐体内の電子基板が破損しないよう、ケーブル引出口や継目を接着剤等のシーリングにより密閉する場合があるが、硬化したシーリングの表面に鋭利な部分があると、フレキシブルケーブルを外部基板に取り付ける際などにフレキシブルケーブルが損傷する原因となる。
【先行技術文献】
【特許文献】
【０００３】
【特許文献１】特開２０１７−１００４５７号公報
【発明の概要】
【発明が解決しようとする課題】
【０００４】
本発明が解決しようとする課題は、フレキシブルケーブルの損傷を防止できる、インクジェットヘッド及びインクジェット記録装置を提供することである。
【課題を解決するための手段】
【０００５】
一形態にかかるインクジェットヘッドは、開口を有するカバーと、前記開口から前記カバーの外側に向けて延出する、前記カバーよりも剛性の低いフレキシブルケーブルと、フレキシブルケーブルよりも剛性が高く構成され、前記フレキシブルケーブルと前記カバーの前記開口との間に配され、前記カバーの前記開口の外方に向けて突出するとともに、前記開口の外方の端縁の両端部は前記フレキシブルケーブルが前記開口から延出する方向に対して傾斜または湾曲する、保護部材と、前記フレキシブルケーブル及び前記保護部材が配された前記開口に配されるシーリングと、を備える。
【図面の簡単な説明】
【０００６】
【図１】第１実施形態にかかるインクジェットヘッドの構成を示す斜視図。
【図２】同インクジェットヘッドの構成を示す分解斜視図。
【図３】同インクジェットヘッドの平面図。
【図４】図３のＥ−Ｅ断面図。
【図５】インクジェットヘッドの一部を拡大して示す正面図。
【図６】図４のＦ−Ｆ断面図。
【図７】同インクジェットヘッドを用いたインクジェット記録装置の構成を示す説明図。
【図８】他の実施形態にかかるインクジェットヘッドの一部の構成を示す説明図。
【図９】他の実施形態にかかるインクジェットヘッドの一部の構成を示す説明図。
【図１０】他の実施形態にかかるインクジェットヘッドの一部の構成を示す説明図。
【図１１】他の実施形態にかかるインクジェットヘッドの構成を示す分解斜視図。
【図１２】同インクジェットヘッドの一部構成を示す断面図。
【図１３】同インクジェットヘッドの一部の構成を示す断面図。
【発明を実施するための形態】
【０００７】
以下に、第１実施形態に係るインクジェットヘッド１について、図１乃至図７を参照して説明する。図１は、第１実施形態にかかるインクジェットヘッド１の構成を示す正面図である。図２はインクジェットヘッドの構成を示す分解斜視図である。図３は、インクジェットヘッドの平面図であり、図４は図３のＥ−Ｅ断面図である。図５は、インクジェットヘッドの一部を拡大して示す正面図であり、図６は図４のＦ−Ｆ断面図である。なお、図中矢印Ｘ，Ｙ，Ｚはそれぞれ互いに直交する３方向を示す。また、各図において説明のため、適宜構成を拡大、縮小または省略して示している。
【０００８】
図１乃至図７に示すように、インクジェットヘッド１は、液体吐出部１０と、カバー２０と、基板ユニット３０と、を備える。
【０００９】
図１及び図２に示すように、液体吐出部１０は、アクチュエータ１１と、アクチュエータ１１の下面側に配されたノズルプレート１２と、を備える。液体吐出部１０は、基板ユニット３０の下方に配されている。
【００１０】
液体吐出部１０には、供給管１３ａや回収管１３ｂなどの複数の流路管が接続されている。供給管１３ａ及び回収管１３ｂは例えば図１等において下側に配される一端が液体吐出部１０に連通し、図中上側の他端が供給タンク１３２に接続される。
【００１１】
図１乃至図３に示すように、カバー２０は、液体吐出部１０の上部に配される。カバー２０は、複数、例えば３つのパーツがシーリングにより接着され、矩形の筺状に構成されている。
【００１２】
例えば本実施形態において、カバー２０は、第１パーツ２１、第１パーツ２１に対向配置される第２パーツ２２、及び第１パーツ２１及び第２パーツ２２の上部に配される第３パーツ２３を備える。
【００１３】
第１パーツ２１は、基板ユニット３０の前面に配される矩形の第１壁２１ａと、第１壁２１ａの両側縁から後方に延びる第１側壁２１ｂと、を一体に有している。
【００１４】
第２パーツ２２は、基板ユニット３０の後面に配される矩形の第２壁２２ａと、第２壁２２ａの両側縁から前方に延びる第２側壁２２ｂと、を一体に有している。
【００１５】
第３パーツ２３は、後述する回路基板３１の上方を覆う矩形の第３壁２３ａと第３壁２３ａの外周縁から下方に延びる第３周壁２３ｂと、を一体に有している。第３壁２３ａには、カバー２０内から供給管１３ａや回収管１３ｂが引き出される円形の貫通孔である管引出口２３ｄと、フレキシブルケーブル３２が引き出されるケーブル引出口２３ｅが、それぞれ複数形成されている。
【００１６】
図１乃至図４に示すように、ケーブル引出口２３ｅは例えば第１方向に長いスリット状の開口であり、第３壁２３ａを厚さ方向に貫通している。ケーブル引出口２３ｅには、フレキシブルケーブル３２とその両面を挟む保護部材としての保護プレート３３とが、重ねて配置されている。ケーブル引出口２３ｅはシーリング２４が内部に侵入しないように、カバー２０の内方に向けてその開口幅が狭くなり、カバー２０の外方に向けて開口幅が広がる、テーパ状の断面形状に構成される。また、ケーブル引出口２３ｅは、シーリング２４により密閉されている。
【００１７】
第１パーツ２１，第２パーツ２２及び第３パーツ２３は、その端縁２１ｃ、２２ｃ、２３ｃが互いに突合わされて組付けられ、端縁２１ｃ，２２ｃ、２３ｃの間がシーリング２４により密閉され、接合されている。
【００１８】
図１乃至図６に示すように、シーリング２４は、例えばエポキシ系の熱硬化性樹脂等の樹脂材料により形成されている。シーリング２４は、製造工程においてケーブル引出口２３ｅや端縁２１ｃ，２２ｃ、２３ｃの間に塗布された接着剤が、熱処理によって硬化することで、引出口２３ｅや端縁２１ｃ，２２ｃ、２３ｃの間に充填され、隙間が密閉される。このとき、図６に示すように、ケーブル引出口２３ｅに配されたシーリング２４は、表面張力により接着剤の外面が曲成されて硬化することで、保護プレート３３側の縁部分が鋭利な形状となる。硬化したシーリング２４は例えばフレキシブルケーブル３２よりも剛性が高く構成されている。
【００１９】
基板ユニット３０は、カバー２０の内部空間に立設された矩形の板状の回路基板３１と、回路基板３１の一端側に接続されたフレキシブルケーブル３２と、フレキシブルケーブル３２の両面に配される保護プレート３３と、を備える。
【００２０】
回路基板３１は、液体吐出部１０の上部に支持され、立設されている。回路基板３１にはドライブＩＣ等の各種の電子部品が搭載されている。例えば回路基板３１はフレキシブル基板を介して液体吐出部１０に接続される。回路基板３１の上側の端縁近傍の所定箇所に、フレキシブルケーブル３２が接続されるコネクタベース３１ａが搭載されている。
【００２１】
フレキシブルケーブル３２は、所定の幅を有する帯状に構成され、長手方向に沿って配される複数の配線を有している。フレキシブルケーブル３２は一端側にケーブルコネクタ３２ａを有している。
【００２２】
フレキシブルケーブル３２は、一端側に配されるケーブルコネクタ３２ａが、回路基板３１のコネクタベース３１ａに挿入されて係合することで、回路基板３１に接続される。フレキシブルケーブル３２は、一端側のケーブルコネクタ３２ａがカバー２０内に配され、他方側がケーブル引出口２３ｅを通ってカバー２０の外方に向かって第２方向に引出され、延出される。フレキシブルケーブル３２の他端側は、カバー２０外の所定箇所に配される外部基板に接続される。フレキシブルケーブル３２は、薄く柔軟であり、例えば曲げやねじりなどの変形を伴い、例えばカバー２０外部に配される所定の接続先に取り回される。
【００２３】
フレキシブルケーブル３２は、ケーブル引出口２３ｅにおいて、一対の保護プレート３３の間に挟まれている。すなわち、一対の保護プレート３３が、ケーブル引出口２３ｅの内縁とフレキシブルケーブル３２の両面との間に、それぞれ粘着性テープなどの貼付材を介して貼付けられている。保護プレート３３は、所定の厚さを有し、例えばＰＩ，ＰＥＴ等の樹脂材料により、フレキシブルケーブル３２よりも剛性が高く構成されたシート状部材である。各保護プレート３３は、引出口２３ｅの内外に至る所定の高さ寸法を有するとともに、第１方向においてフレキシブルケーブル３２の幅寸法よりも大きい幅寸法を有している。したがって、一対の保護プレート３３によりフレキシブルケーブル３２の両側の側縁部が覆われる。
【００２４】
保護プレート３３は、カバー２０の外方に突出する突出部を有し、そのカバー２０の外方の端部が台形状に構成されている。すなわち、保護プレート３３のカバー２０の外方の端縁３３ａの両端部３３ｂは、幅方向の中央部が両端部よりもカバー２０の外方に位置するように第１方向に対して傾斜する縁部を有している。両端部３３ｂの縁部は、フレキシブルケーブル３２の幅方向であるスリット状のケーブル引出口２３ｅの幅方向に沿う第１方向と、フレキシブルケーブル３２が引き出される延出方向である２方向とに対して、傾斜している。例えば保護プレート３３の両端部３３ｂの傾斜角度や寸法割合等の形状は、フレキシブルケーブル３２の取り回しの条件に応じて設定され、例えば両端部３３ｂの第１方向に対する傾斜角度は２０〜７０度に設定される。
フレキシブルケーブル３２は、その端縁３３ａに、鋭利な部分や角がなく、緩やかに変位する外形を有している。したがって、例えばカバー２０の外方においてフレキシブルケーブル３２が引っ張られたり曲げられたりした場合に、保護プレート３３の端縁３３ａにフレキシブルケーブル３２が押しつけられるが、両端部３３ｂの縁部が傾斜していることから、フレキシブルケーブル３２がより広い面積で保護プレート３３が力を受けるように力が分散され、段階的に力を逃がすことができるため、フレキシブルケーブル３２が破損しにくい。
【００２５】
以上のように構成されたインクジェットヘッド１は、例えば回路基板３１に搭載されたドライブＩＣにより駆動電圧を印加することで、アクチュエータ１１が駆動され、ノズルから液滴を吐出させる。
【００２６】
インクジェットヘッド１は、例えば図７に示されるインクジェット記録装置１００に設けられる。インクジェットヘッド１は、インクジェット記録装置１００に設けられた液体収容部としての供給タンク１３２に接続され、供給タンク１３２との間でインクを循環させる循環型のヘッドである。インクジェットヘッド１は例えば液体吐出部１０のノズルが下方に向く姿勢で配置される。
【００２７】
以下、インクジェットヘッド１を有するインクジェット記録装置１００について、図７を参照して説明する。インクジェット記録装置１００は、筐体１１１と、媒体供給部１１２と、画像形成部１１３と、媒体排出部１１４と、支持装置である搬送装置１１５と、制御部１１６と、を備える。
【００２８】
インクジェット記録装置１００は、媒体供給部１１２から画像形成部１１３を通って媒体排出部１１４に至る所定の搬送路Ａ１に沿って、吐出対象物である記録媒体として例えば用紙Ｐを搬送しながらインク等の液体を吐出することで、用紙Ｐに画像形成処理を行うインクジェットプリンタである。
【００２９】
媒体供給部１１２は複数の給紙カセット１１２ａを備える。媒体排出部１１４は、排紙トレイ１１４ａを備える。画像形成部１１３は、用紙を支持する支持部１１７と、支持部１１７の上方に対向配置された複数のヘッドユニット１３０と、を備える。支持部１１７は、画像形成を行う所定領域にループ状に備えられる搬送ベルト１１８と、搬送ベルト１１８を裏側から支持する支持プレート１１９と、搬送ベルト１１８の裏側に備えられた複数のベルトローラ１２０と、を備える。
【００３０】
ヘッドユニット１３０は、複数のインクジェットヘッドであるインクジェットヘッド１と、各インクジェットヘッド１上にそれぞれ搭載された液体タンクとしての複数の供給タンク１３２と、インクジェットヘッド１と供給タンク１３２とを接続する接続流路１３５と、循環部である循環ポンプ１３４と、を備える。ヘッドユニット１３０は、液体を循環させる循環型のヘッドユニットである。
【００３１】
本実施形態において、インクジェットヘッド１としてシアン、マゼンダ、イエロー、ブラックの４色のインクジェットヘッド１と、これらの各色のインクをそれぞれ収容する供給タンク１３２として、供給タンク１３２を備える。供給タンク１３２は接続流路１３５によってインクジェットヘッド１に接続される。接続流路１３５は、インクジェットヘッド１の供給管１３ａに接続される供給流路１３５ａと、インクジェットヘッド１の回収管１３ｂに接続される回収流路１３５ｂと、を備える。
【００３２】
また、供給タンク１３２には、図示しないポンプなどの負圧制御装置が連結されている。そして、インクジェットヘッド１と供給タンク１３２との水頭値に対応して、負圧制御装置により供給タンク１３２内を負圧制御することで、インクジェットヘッド１の各ノズルに供給されたインクを所定形状のメニスカスに形成させている。
【００３３】
循環ポンプ１３４は、例えば圧電ポンプで構成される送液ポンプである。循環ポンプ１３４は、配線により制御部１１６に接続され、ＣＰＵ（Ｃｅｎｔｒａｌ  Ｐｒｏｃｅｓｓｉｎｇ  Ｕｎｉｔ）１１６ａの制御によって制御可能に構成されている。循環ポンプ１３４は、インクジェットヘッド１と供給タンク１３２を含む循環流路で液体を循環させる。
【００３４】
搬送装置１１５は、媒体供給部１１２の給紙カセット１１２ａから画像形成部１１３を通って媒体排出部１１４の排紙トレイ１１４ａに至る搬送路Ａ１に沿って、用紙Ｐを搬送する。搬送装置１１５は、搬送路Ａ１に沿って配置される複数のガイドプレート対１２１ａ〜１２１ｈと、複数の搬送用ローラ１２２ａ〜１２２ｈと、を備えている。搬送装置１１５は、用紙Ｐをインクジェットヘッド１に相対移動可能に支持する。
【００３５】
制御部１１６は、プロセッサの一例としてのＣＰＵ１１６ａと、各種のプログラムなどを記憶するＲＯＭ（Ｒｅａｄ  Ｏｎｌｙ  Ｍｅｍｏｒｙ）と、各種の可変データや画像データなどを一時的に記憶するＲＡＭ（Ｒａｎｄｏｍ  Ａｃｃｅｓｓ  Ｍｅｍｏｒｙ）と、外部からのデータの入力及び外部へのデータの出力をするインターフェイス部と、を備える。
【００３６】
インクジェットヘッド１及びインクジェット記録装置１００において、ノズルから液体を吐出する駆動時には、制御部１１６は、アクチュエータ１１の駆動素子に駆動電圧を印加し、アクチュエータ１１を動作させて、ノズルからインク滴を吐出させる。
【００３７】
以上のように構成されたインクジェットヘッド１において、インクは、図７に示す供給タンク１３２から、供給流路１３５ａ及び供給管１３ａを通って液体吐出部１０の圧力室へ至り、圧力室に対向配置されたノズルから吐出される。一方、インクは、圧力室から回収管１３ｂ及び回収流路１３５ｂを通って供給タンク１３２に回収され、循環する。
【００３８】
本実施形態にかかるインクジェットヘッド１及びインクジェット記録装置１００は、シーリング２４とフレキシブルケーブル３２との間に保護プレート３３があることから、例えばフレキシブルケーブル３２が引っ張られたり曲げられたりした場合に、フレキシブルケーブル３２がシーリング２４の鋭利な端部によって破損することを防止できる。さらに、保護プレート３３は両端部３３ｂの縁部が傾斜していることから、応力を段階的に分散させることができるため、フレキシブルケーブル３２が破損しにくい。
【００３９】
また、保護プレート３３はケーブル引出口２３ｅに対応する一部のみとすることで、例えばフレキシブルケーブル３２全体を覆うあるいは厚くする構成と比べ、材料を少なくできるとともに、フレキシブルケーブル３２の柔軟性と保護を両立できる。
【００４０】
また、保護プレート３３は、フレキシブルケーブル３２よりも幅寸法が大きいことから、貼付け時の位置精度を緩和できる。
【００４１】
なお、本発明は上記実施形態そのままに限定されるものではなく、実施段階ではその要旨を逸脱しない範囲で構成要素を変形して具体化できる。
【００４２】
上記第１実施形態において、端部が台形状に構成された例を示したが、これに限られるものではない。図８は他の実施形態にかかるインクジェットヘッド１Ａの一部を拡大して示す正面図である。図８に示すように、インクジェットヘッド１Ａの保護プレート１３３は、端縁１３３ａが三角形状に構成されている。具体的には、保護プレート１３３は、中央がカバー２０の外方に位置するように傾斜した一対の縁部１３３ｂを備えて構成されている。
【００４３】
図９は他の実施形態にかかるインクジェットヘッド１Ｂの一部を拡大して示す正面図である。図９に示すように、インクジェットヘッド１Ｂの保護プレート２３３は、中央がカバー２０の外方に位置するように湾曲した縁部２３３ａを備えて構成されている。本実施形態においても、上記第１実施形態と同様の効果を得られる。すなわち、保護プレート２３３によりシーリング２４の鋭利な端縁からフレキシブルケーブル３２を保護できるとともに、保護プレート２３３の端縁２３３ａを湾曲形状としたことにより、フレキシブルケーブル３２がねじれ、あるいは曲げられた際に、保護プレート２３３によりフレキシブルケーブル３２にかかる力を分散させ、フレキシブルケーブル３２の破損を抑制できる。
【００４４】
また、上記第１実施形態において、保護プレート３３は第１方向において厚さが一様である例を示したが、これに限られるものではない。図１０は他の実施形態にかかる保護プレート３３３を示す断面図である。図１０に示すように、保護プレート３３３は、第１方向における中央が厚く、第１方向の両端部が薄くなるように厚みが変化している。保護プレート３３３の両表面は、中央が膨らむように湾曲している。その他の構成は上記第１実施形態と同様である。本実施形態においても、上記第１実施形態と同様の効果を得られる。すなわち、保護プレート３３３によりシーリング２４の鋭利な端縁からフレキシブルケーブル３２を保護できるとともに、保護プレート３３３の端縁を傾斜または湾曲した形状としたことにより、フレキシブルケーブル３２がねじれ、あるいは曲げられた際に、保護プレート３３によりフレキシブルケーブル３２にかかる力を分散させ、フレキシブルケーブル３２の破損を抑制できる。
【００４５】
また、上記第１実施形態において、保護プレート３３はカバー２０の内部空間に至る高さ寸法を有する例を示したが、これに限られるものではない。図１１は他の実施形態にかかるインクジェットヘッド１Ｃの構成を示す分解斜視図であり、図１２及び図１３は同インクジェットヘッド１Ｃの一部を示す断面図である。
図１１乃至図１３に示すように、インクジェットヘッド１Ｃにおいて保護プレート４３３は、カバー２０の内方側に位置する端縁４３３ｃが、シーリング２４内に埋設されるとともに、カバー２０のケーブル引出口２３ｅ内に挟まれる位置に配される。すなわち、本実施形態にかかる保護プレート４３３の端縁は、カバー２０の内部に至らない。その他の構成は上記第１実施形態と同様である。
【００４６】
本実施形態においても、上記第１実施形態と同様の効果を得られる。すなわち、保護プレート４３３によりシーリング２４の鋭利な端縁からフレキシブルケーブル３２を保護できるとともに、保護プレート４３３の端縁が湾曲または傾斜する形状としたことにより、フレキシブルケーブル３２がねじれ、あるいは曲げられた際に、保護プレート４３３によりフレキシブルケーブル３２にかかる力が分散し、フレキシブルケーブル３２の破損を抑制できる。
【００４７】
さらに、本実施形態にかかるインクジェットヘッド１Ｃによれば、保護プレート４３３の内方の端縁がシーリング２４の内部に留まり、カバー２０の内部に至らない位置関係とすることにより、シーリング２４を構成する接着剤が保護プレート４３３を伝って内部に侵入することも防止できる。
【００４８】
また、上記各実施形態においては、フレキシブルケーブル３２の両面に保護プレート３３を配置する例を示したがこれに限られるものではなく、片面のみに貼付してもよい。
【００４９】
また、吐出する液体は印字用のインクに限られるものではなく、例えばプリント配線基板の配線パターンを形成するための導電性粒子を含む液体を吐出する装置等であっても良い。
【００５０】
インクジェットヘッドは、上記の他、例えば静電気で振動板を変形してインク滴を吐出する構造、あるいはヒータ等の熱エネルギーを利用してノズルからインク滴を吐出する構造等でもよい。
【００５１】
また、上記実施形態において、インクジェットヘッドは、インクジェット記録装置等のインクジェット記録装置に用いられる例を示したが、これに限られるものではなく、例えば３Ｄプリンタ、産業用の製造機械、医療用途にも用いることが可能であり、小型軽量化及び低コスト化が可能である。
【００５２】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１、１Ａ、１Ｂ、１Ｃ…インクジェットヘッド、１０…液体吐出部、１１…アクチュエータ、１３ａ…供給管、１３ｂ…回収管、２０…カバー、２１…第１パーツ、２１ａ…第１壁、２１ｂ…側壁、２１ｃ…端縁、２２…第２パーツ、２２ａ…第２壁、２２ｂ…側壁、２２ｃ…端縁、２３…第３パーツ、２３ａ…第３壁、２３ｂ…周壁、２３ｃ…端縁、２３ｄ…管引出口、２３ｅ…ケーブル引出口、２４…シーリング、３０…基板ユニット、３１…回路基板、３１ａ…コネクタベース、３２…フレキシブルケーブル、３２ａ…ケーブルコネクタ、３３，１３３，３３３，４３３…保護プレート、３３ａ…端縁、３３ｂ…両端部、１３３ｂ…縁部、４３３ｃ…端縁、１００…インクジェット記録装置、１３０…ヘッドユニット、１３２…供給タンク、１３３ａ…端縁、１３４…循環ポンプ、１３５…接続流路、１３５ａ…供給流路、１３５ｂ…回収流路、Ａ１…搬送路。
【図１】
2020015209.tif 000003
【図２】
2020015209.tif 000004
【図３】
2020015209.tif 000005
【図４】
2020015209.tif 000006
【図５】
2020015209.tif 000007
【図６】
2020015209.tif 000008
【図７】
2020015209.tif 000009
【図８】
2020015209.tif 000010
【図９】
2020015209.tif 000011
【図１０】
2020015209.tif 000012
【図１１】
2020015209.tif 000013
【図１２】
2020015209.tif 000014
【図１３】
2020015209.tif 000015